(57)【要約】【課題】  こて先を閉める方向に付勢することができて手で押える必要がなく、コネクタピンの根元部分のコネクタ樹脂を変形しないようにしてコネクタピンにケーブルを１回の作業内で半田付けでき、こて先部分にヒータを設けることにより、半田を溶かす手間が省けて作業効率を向上でき、しかも半田を盛りつける作業が必要でなく手間がかからない。【解決手段】  左右一対のこて本体１、１の先端に横方向に長い断面半円弧状のこて先２、３が設けられ、こて先の内面にはこて本体に形成された半田注入口１ａから連通する開口２ａが形成され、こて本体に合成樹脂製の把持部４、４が設けられ、把握部は開閉自在に枢着され、把持部間にはこて先が閉まる方向に付勢するバネ６が配置され、把持部と左右一対のこて本体内にこて先まで配線７が設けられ、こて本体のこて先部分にヒータ８が配置され、一方の把持部には配線をＯＮ・ＯＦＦするためのスイッチ９が配置されている。【選択図】  図１
2009125776.tif 000002
【特許請求の範囲】
【請求項１】
コネクタピンにケーブルを半田付けで直付けするための半田ごてにおいて、左右一対のこて本体の先端に横方向に長い断面半円弧状のこて先がそれぞれ設けられ、一方のこて先の内面には前記こて本体に形成された半田注入口から連通する開口が形成され、前記左右一対のこて本体に合成樹脂製の把持部がそれぞれ設けられ、これらの把握部は開閉自在に枢着されていると共にこれらの把持部間には前記こて先が閉まる方向に付勢するためのバネが配置され、前記把持部と前記左右一対のこて本体内には、前記こて先まで配線が設けられ、この配線における前記左右一対のこて本体の前記こて先部分にヒータが配置されると共に、一方の把持部には前記配線をＯＮ・ＯＦＦするためのスイッチが配置されており、前記断面半円弧状のこて先内に前記コネクタピンと前記ケーブルを挿入し、前記こて先を閉めた状態で前記スイッチをＯＮして前記ヒータを加熱して前記こて先を加熱し、前記半田注入口から注入された半田を前記こて先で溶融して、前記こて先の開口から流れ出る溶融された半田で前記コネクタピンとケーブルを半田付けするように構成したことを特徴とする半田ごて。
【請求項２】
前記こて先に設けられた開口は、前記こて先の長手方向に向けて長く形成されている請求項１に記載の半田ごて。
【発明の詳細な説明】
【技術分野】
【０００１】
本発明は、コネクタピンにケーブルを半田付けで直付けするための半田ごてに関するものである。
【背景技術】
【０００２】
従来、半田付けしょうとする対象物が固定されていない場合、半田付けの作業中に対象物が動かないかどうかを気にしながら半田を溶かす作業が大変で対象物を予め固定する作業が必要であるという問題があった。また、半田がこて先にうまくのらない場合は、対象物にこて先が接する時間が長くなってしまって、この対象物がコネクタピンである場合にはこのコネクタピンの根元部のコネクタ樹脂が変形したり、コネクタピンの位置が変わったりすることがあるという問題があった。
【０００３】
第１の従来技術を図２、図３に示す。この従来の半田付け装置は、図２、図３に示すように、半田付けを行うための加熱用のこて先３ａと、熱容量が大きく被実装部品５を冷却しうる放熱用のこて先３ｂとを備え、この加熱用のこて先３ａと放熱用のこて先３ｂが被実装部品５を保持できるよう対になり可動に、かつ、熱的に絶縁されるように構成する。（例えば、特許文献１参照）。
【０００４】
ところが、これにおいては、こて先３ａ、３ｂを閉めるためには、手で押えないといけないという問題があった。また、半田を盛りつける作業を必要として手間がかかるという問題があった。
【０００５】
第２の従来技術を図４、図５に示す。この従来のピンセット型ハンダゴテは、図４、図５に示すように、左右一対のハンダゴテ３０１、３０１を、コテ先３０１ａ、３０１ａを自由端にして開閉自在に連結したものである。（例えば、特許文献２参照）。
【０００６】
ところが、これにおいても、コテ先３０１ａ、３０１ｂを閉めるためには、把持部３０１ｂ、３０１ｂを手で押えて閉めないといけないという問題があった。また、半田を盛りつける作業を必要として手間がかかるという問題があった。
【特許文献１】特開２００５−１６１３３４号公報
【特許文献２】実開平３−１２０９７０号公報
【発明の開示】
【発明が解決しようとする課題】
【０００７】
本発明は、上記従来の問題に鑑みてなされたものであって、把持部のバネによってこて先を閉める方向に付勢することができて手で押える必要がなく、コネクタピンの根元部分のコネクタ樹脂を変形しないようにしてコネクタピンにケーブルを１回の作業内で半田付けすることができ、こて本体のこて先部分にヒータを設けることにより、半田を溶かす手間が省けて作業効率を向上させることができ、しかも半田を盛りつける作業が必要でなく手間がかからない半田ごてを提供することを目的としている。
【課題を解決するための手段】
【０００８】
本発明は、上記課題を解決するために提案されたものであって、請求項１に記載の発明は、コネクタピンにケーブルを半田付けで直付けするための半田ごてにおいて、左右一対のこて本体の先端に横方向に長い断面半円弧状のこて先がそれぞれ設けられ、一方のこて先の内面には前記こて本体に形成された半田注入口から連通する開口が形成され、前記左右一対のこて本体に合成樹脂製の把持部がそれぞれ設けられ、これらの把握部は開閉自在に枢着されていると共にこれらの把持部間には前記こて先が閉まる方向に付勢するためのバネが配置され、前記把持部と前記左右一対のこて本体内には、前記こて先まで配線が設けられ、この配線における前記左右一対のこて本体の前記こて先部分にヒータが配置されると共に、一方の把持部には前記配線をＯＮ・ＯＦＦするためのスイッチが配置されており、前記断面半円弧状のこて先内に前記コネクタピンと前記ケーブルを挿入し、前記こて先を閉めた状態で前記スイッチをＯＮして前記ヒータを加熱して前記こて先を加熱し、前記半田注入口から注入された半田を前記こて先で溶融して、前記こて先の開口から流れ出る溶融された半田で前記コネクタピンとケーブルを半田付けするように構成したことを特徴としている。
【０００９】
請求項２に記載の発明は、請求項１に記載の発明において、前記こて先に設けられた開口は、前記こて先の長手方向に向けて長く形成されている。
【発明の効果】
【００１０】
請求項１に記載の発明によれば、左右一対のこて本体の先端に横方向に長い断面半円弧状のこて先がそれぞれ設けられ、一方のこて先の内面にこて本体に形成された半田注入口から連通する開口が設けられているから、こて本体の内部に設けられたヒータで加熱されて溶融された半田がコネクタピンとケーブルを半田付けすることにより、このコネクタピンとケーブルに長い範囲に半田が盛られることになり、確実な半田付けを行うことができる。更に、左右一対の把持部間にこて先を閉まる方向に付勢するバネが配置されているから、半田付けするときに、こて先が自動的に閉まることにより、手で押える必要がなく半田付けの作業を行い易くできる。また、コネクタピンの根元部分のコネクタ樹脂を変形しないようにしてコネクタピンにケーブルを１回の作業内で半田付けすることができる。しかも、こて本体と把持部内の配線が把持部に設けられたスイッチをＯＮするだけでヒータを加熱して半田を溶融でき、半田を溶かす手間が省けて半田付けの作業効率を向上することができる。また、半田を盛りつける必要がなく手間がかからない。
【００１１】
請求項２に記載の発明によれば、こて先に設けられた開口が、こて先の長手方向に向けて長く形成されているから、コネクタピンとケーブルにより一層長い範囲に半田を盛ることができて、半田付けを強固に行うことができる。
【発明を実施するための最良の形態】
【００１２】
以下、本発明に係る半田ごての実施の形態について、図面を参照しつつ説明する。
【００１３】
図１は本発明の実施形態の半田ごてを示し、（ａ）はその半田付けする前の状態を示す斜視図、（ｂ）はその内部回路を示す説明図、（ｃ）はその半田付けを行っている状態を示す斜視図、（ｄ）はその半田ごてによってコネクタピンとケーブルが半田付けされた状態を示す斜視図である。
【００１４】
本実施形態のハンダごては、図１（ａ）に示すように、左右一対のこて本体１、１の先端に横方向に長い断面半円弧状のこて先２、３がそれぞれ設けられ、一方のこて先２の内面に、こて本体１に形成された半田注入口１ａから連通する長手方向に長い開口２ａが形成されている。更に、左右一対のこて本体１、１に合成樹脂製の把持部４、４がそれぞれ設けられ、これらの把持部４、４は内側に向けて突出した突出部５、５が枢着されて開閉自在となっている。また、把持部４、４間にはこて先２、３が閉まる方向に付勢するためのバネ６が配置されている。図１（ｂ）に示すように、一方の把持部４と左右一対のこて本体１、１には、こて先２、３まで配線７が設けられ、この配線７におけるこて先２、３の部分にはヒータ８、８が配置されている。しかも、一方の把持部４に配線７をＯＮ・ＯＦＦするためのスイッチ９が配置されている。
【００１５】
そして、図１（ａ）に示すように、断面半円弧状のこて先２、３内にコネクタピン１０とケーブル１１を挿入し、図１（ｃ）に示すように、こて先２、３を閉めた状態でスイッチ９を押してＯＮしてヒータ８、８を加熱してこて先２、３を加熱し、半田注入口１ａから注入された半田をこて先２で溶融して、こて先２の開口２ａから流れ出る溶融された半田１２で、図１（ｄ）に示すように、コネクタピン１０とケーブル１１を半田付けする。尚、配線７は把持部４から温度調節器に接続されているものである。
【００１６】
従って、本実施形態によれば、左右一対のこて本体１、１の先端に横方向に長い断面半円弧状のこて先２、３がそれぞれ設けられ、一方のこて先２の内面にこて本体１に形成された半田注入口１ａから連通する開口２ａが設けられているから、こて本体１の内部に設けられたヒータ８で加熱されて溶融された半田がコネクタピン１０とケーブル１１を半田付けすることにより、このコネクタピン１０とケーブル１１に半田１２が盛られることになり、確実な半田付けを行うことができる。更に、左右一対の把持部４、４間にこて先３を閉まる方向に付勢するバネ６が配置されているから、半田付けするときに、こて先２、３が自動的に閉まることにより、手で押える必要がなく半田付けの作業を行い易くできる。
【００１７】
また、コネクタピン１０の根元部分のコネクタ樹脂１３を変形しないようにしてコネクタピン１０にケーブル１１を１回の作業内で半田付けすることができる。しかも、こて本体１、１と把持部４内の配線７が把持部４に設けられたスイッチ９をＯＮするだけでヒータ８を加熱して半田を溶融でき、半田を溶かす手間が省けて半田付けの作業効率を向上することができる。また、半田を盛りつける必要がなく手間がかからない。しかも、こて先２に設けられた開口２ａが、こて先２の長手方向に向けて長く形成されているから、コネクタピン１０とケーブル１１に長い範囲に半田を盛ることができて、半田付けを強固に行うことができる。
【図面の簡単な説明】
【００１８】
【図１】本発明の実施形態の半田ごてを示し、（ａ）はその半田付けする前の状態を示す斜視図、（ｂ）はその内部回路を示す説明図、（ｃ）はその半田付けを行っている状態を示す斜視図、（ｄ）はその半田ごてによってコネクタピンとケーブルが半田付けされた状態を示す斜視図である。
【図２】従来の半田付け装置を示す斜視図である。
【図３】従来の半田付け装置で半田付け作業を行っている状態の正面図である。
【図４】従来のピンセット型ハンダゴテを示す斜視図である。
【図５】従来のピンセット型ハンダゴテの使用状態を示す斜視図である。
【符号の説明】
【００１９】
１        こて本体
１ａ      半田注入口
２        こて先
２ａ      開口
３        こて先
４        把持部
５        突出部
６        バネ
７        配線
８        ヒータ
９        スイッチ
１０      コネクタピン
１１      ケーブル
１２      半田
１３      コネクタ樹脂
【図１】
2009125776.tif 000003
【図２】
2009125776.tif 000004
【図３】
2009125776.tif 000005
【図４】
2009125776.tif 000006
【図５】
2009125776.tif 000007